(57)【要約】    【課題】大きな荷物でも小さな荷物でも固定することができ、高価なホルダーや金具はほとんど使用しない移動防止具を提供する。    【解決手段】上端及び下端において折り返し部（１２，１３）を有する本体布（１０）からなる。前記折り返し部（１２，１３）は、折り返して内部にシートベルト紐（３，４）を収納したあと、筒状にすることができる固定具（１４，１５；１６，１７）を有する。本体布（１０）の前方にもネット状の収納部（１１）を設けるのが好ましい。【選択図】図１
2007106249.tif 000002
【特許請求の範囲】
【請求項１】
上端及び下端において折り返し部（１２，１３；２０，２１）を有する本体布（１０；１０Ａ）からなり、前記折り返し部（１２，１３；２０，２１）は、折り返して内部にシートベルト紐（３，４）を収納したあと、筒状にすることができる固定具（１４，１５；１６，１７；１４Ａ，１５Ａ；１６Ａ，１７Ａ）を有することを特徴とする、シートベルトを利用した荷物の移動防止具（１）。
【請求項２】
本体布（１０；１０Ａ）の前方に収納部（１１，１１Ａ）を設けた請求項１記載の移動防止具（１）。
【請求項３】
本体布の前方の収納部（１１，１１Ａ）がネット状のポケットである請求項２記載の移動防止具（１）。
【請求項４】
折り返し部（１２，１３）が、本体布（１０）と一体となっている請求項１ないし３のいずれかに記載の移動防止具（１）。
【請求項５】
折り返し部（２０，２１）が、本体布（１０Ａ）から突出した延長部（２０，２１）である請求項１ないし３のいずれかに記載の移動防止具（１Ａ）。
【発明の詳細な説明】
【技術分野】
【０００１】
本発明は、自動車、飛行機、電車等において、シートベルトを装備した座席に取り付けることのできる、荷物の移動防止具に関する。以下の説明では、自動車の座席を例にして説明する。
【背景技術】
【０００２】
自動車内の荷物は、大きな物は後部のトランクに収納するが、地図や雑誌、かさばらない荷物などは、空の座席に無造作に置かれていることが多い。そのような荷物は安定が悪いと、急ブレーキをかけたときなどの衝撃で座席から落ちてしまうことがある。そうなれば、荷物が床にまき散らされることがあるだけでなく、運転中にそのことが気になって注意が散漫になったり、拾い上げようとして視線を床に落としたり、ハンドルから手を離したりして、事故につながりやすい。
【０００３】
これを防ぐために、車中の荷物の移動を防止する提案が多数なされている。本発明と同様にシートベルトを利用する発明・考案も知られている（下記特許文献１，２参照）。
【０００４】
特許文献１は、上下シートベルト紐の間にネットを張り、このシートベルト紐とネットとを所々で面ファスナにより固定する考案である。特許文献２は、シートベルトに固定したネット状ベルトで荷物を保持する発明である。
【特許文献１】実開平３−７７７５１号公報
【特許文献２】特開２００１−１５８３０２公報
【発明の開示】
【発明が解決しようとする課題】
【０００５】
特許文献１の従来技術は、上下シートベルト紐とネットを所々で面ファスナにより固定するだけなので、急ブレーキをかけたときのような衝撃があると、面ファスナが負荷に耐えきれずに荷物が落下するおそれがある。また、地図や雑誌などの薄型荷物を保持するには必ずしも適当ではない。さらに、シートベルト側に長尺状の面ファスナを永久的に取り付けているようなので、そのような加工を予め施した特定のシートベルトしか利用できないという問題がある。
【０００６】
特許文献２は、比較的に大きい荷物を保持固定するには適当であるが、やはり地図や雑誌などの薄型荷物を保持するには不適当なようである。また、シートベルトに接続するためのホルダーや金具を必要とするので、コストの上昇が避けられない。
【０００７】
そこで、本発明は、大きな荷物でも小さな荷物でもしっかりと固定することができ、高価なホルダーや金具は使用しない移動防止具を提供することを目的とする。
【課題を解決するための手段】
【０００８】
本発明の荷物移動防止具は、上端及び下端において折り返し部を有する本体布からなり、前記折り返し部は、折り返して内部にシートベルトを収納したあと、筒状にすることができる固定具を有することを特徴とする。
【発明の効果】
【０００９】
本発明の移動防止具によれば、上端及び下端の折り返し部にシートベルトを収納し、固定具で固定することにより、シートベルトにしっかりと固定することができる。荷物は、この移動防止具と座席の背もたれ部との間に荷物を収容して、移動を防止することができる。この移動防止具は、高価なホルダーや金具を使用しないので、比較的に安価に製造することができる。
【発明を実施するための最良の形態】
【００１０】
好ましくは、移動防止具の前方にも収納部を設けて前方においても荷物の移動を防止する。前方収納具はネット状のポケットとして比較的に薄い地図や雑誌を収納させるのに適している。このようにすることにより、この移動防止具は前方おいても後方においても荷物の移動を防止することができる。
【００１１】
本発明の移動防止具の本体布は、上端及び下端において折り返し部を有し、そこにシートベルト紐に固定されるので、シートベルト紐に沿って設定される。そのため、現在では、上端が斜めに裁断され、下端は水平な四角形の形をとることになるが、将来、シートベルトの設定方法が変われば、本発明の本体布の形状もそれに併せて変化しうる。本体布は長期使用に耐えられるように比較的に強靱な織物であることが好ましいが、荷物の移動防止が目的なので、柔軟な編物、プラスチックシート、ネット等であってもよい。
【００１２】
折り返し部は、折り返して内部にシートベルトを収納したあと、筒状にすることができる固定具を有する。固定具としては、雌雄のスナップボタン、スナップファスナ、スライドファスナ、面ファスナ、等を使用することができる。
【００１３】
折り返し部は、本体と一体となっていることが製作容易となり好ましい。しかし、本体から突出した延長部とすることもできる。
【実施例１】
【００１４】
以下、添付の図面に基づき、本発明の実施例を説明する。
【００１５】
図１は、本発明の１実施例に係る車内荷物の移動防止具１を座席に取り付けて使用している状態の斜視図である。図２は、使用前の移動防止具１の分解状態を示す斜視図である。
【００１６】
図１に示すように、この移動防止具１は、上端が斜めに裁断された四角形の生地からなる本体布１０を有する。
【００１７】
本体の前方下半部には、上方が開放された収納用のネット１１が取り付けられている。この収納ネット１１は、左右側部及び底部が本体布１０の縁部に固定され、上部のみが開口されている。
【００１８】
この移動防止具は、図２に示すように、上端及び下端において折り返し部１２，１３を有する。折り返し部には、シートベルト紐３，４を収容して筒が形成可能なように雌雄ボタン１４，１５；１６，１７（図２参照）が３対ずつ設けられている。
【００１９】
この移動防止具１を使用するには、無人状態でシートベルト紐３，４を座席に装着し、ロック状態にする。この状態では、斜めに伸びるシートベルト紐３と、座席５の背もたれ部２の底部に水平に伸びるシートベルト紐４が座席を横断する。次いで、移動防止具の上端及び下端の折り返し部１２，１３にシートベルト紐３，４を挟み、雌雄ボタン１４，１５をはめあわせて移動防止具１をシートベルト紐３，４に固定する。
【００２０】
この移動防止具１の収納ネット部１１には地図や雑誌１８などを収納することができる。さらに、この移動防止具１の裏側では、座席５の背もたれ部２との間に、比較的に大きな立体荷物１９（例えば、ふくれた買物袋、反物状・長尺の商品、等）を収納することができる。
【００２１】
この移動防止具１を取り外すには、折り返し部１２，１３の雌雄ボタン１４，１５；１６，１７のはめあいを解除すればよい。
【実施例２】
【００２２】
図３は、本発明の別実施例の分解状態を示す斜視図である。実施例１と異なるのは、折り返し部が本体布１０Ａと一体化されておらず、本体布の延長部２０，２１として、上端、下端にそれぞれ３本ずつ形成されていることである。その他の部分は、実施例１の符号に「Ａ」を付してその説明を省略する。
【図面の簡単な説明】
【００２３】
【図１】本発明実施例の移動防止具の１利用態様を示す斜視図である。
【図２】同移動防止具の使用前の移動防止具の分解状態を示す斜視図である。
【図３】本発明の第２実施例の分解状態を示す斜視図である。
【符号の説明】
【００２４】
１，１Ａ      移動防止具
３，４ シートベルト紐
１０，１０Ａ  本体布
１１，１１Ａ  収納ネット部
１２，１３    折り返し部
１４，１５；１６，１７      雌雄ボタン
２０，２１    延長部
【図１】
2007106249.tif 000003
【図２】
2007106249.tif 000004
【図３】
2007106249.tif 000005